(57)【特許請求の範囲】
【請求項１】
長手方向に沿って帯状の開口部（４）が形成された側壁部（２ａ）とこの側壁部（２ａ）と平行に対向する側壁部（２ｂ）と、前記側壁部（２ｂ）に対して直角な底壁部（２ｃ）及び天壁部（２ｄ）を備えたＣ型鋼から成る長尺状の梁（２）に、複数の屋根材（６）を、取付金具（１２）によって固定するための屋根材取付装置において、前記取付金具（１２）を、前記梁（２）の前記開口部（４）を有する側壁部（２ａ）の下部（２ａ）に嵌合自在な嵌合わん曲部（１２ｅ）と、前記梁（２）の底壁部（２ｃ）に当接自在な当接平面部（１２ｆ）と、前記梁（２）の側壁部（２ｂ）の下部内壁面に当接自在な立ち上り係止部（１２ｇ）とから成る上部取付片（１２ａ）と、該上部取付片（１２ａ）に固設された下部取付片（１２ｂ）とで構成し、前記下部取付片（１２ｂ）に、前記屋根材（６）を固定するようにしたことを特徴とする屋根材取付装置。
【請求項２】
前記屋根材（６）を長尺状の帯状部（６ａ）と、該帯状部（６ａ）の両側に該帯状部（６ａ）に対して直角に屈折された立ち上り部（６ｂ）（６ｃ）と、該立ち上り部（６ｂ）（６ｃ）の上端に形成された筒型の嵌合部（１０）（８）とを備えた金属パネルにより構成し、前記取付金具（１２）（２６）の下部取付片（１２ｂ）を、前記筒型の嵌合部（１０）（８）のでっぱりを避けるためのあご部（１２ｃ）と、該あご部（１２ｃ）に一体的に固設された垂直部（１２ｄ）とで構成し、隣接する一対の屋根材（６）（６）のうち一方の屋根材（６）の一方の立ち上り部（６ｃ）の筒型嵌合部（８）と他方の屋根材（６）の他方の立ち上り部（６ｂ）の筒型嵌合部（１０）とを互いに嵌合連結するとともに、一対の互いに隣接する屋根材（６）（６）の立ち上り部（６ｃ）（６ｂ）を合接し、該合接する立ち上り部（６ｃ）（６ｂ）を前記梁（２）の所定位置に取り付けた前記取付金具（１２）の垂直部（１２ｄ）にねじ（１４）により固定するようにしたことを特徴とする屋根材取付装置。
【発明の詳細な説明】
【０００１】
【産業上の利用分野】
本発明は、Ｃ型鋼から成る梁に金属板から成る屋根材を取り付けるための屋根材取付装置に関する。
【０００２】
【従来の技術】
Ｈ型鋼から成る梁に帯状の金属板から成る複数の屋根材を取付金具を介して取付ける屋根材取付装置は、特開平５−２０９４４９号号公報に開示されている。これらの装置は、隣接する屋根材の立ち上り部が互いに合接し、各立ち上り部の上部に形成されたコ字状或いはＬ字状の屈折部が互いに合接している。
互いに合接する立ち上り部は、梁に取り付けられた取付金具の垂直部にねじにより固定されている。
【０００３】
【発明が解決しようとする課題】
上記従来装置はＨ型鋼に屋根材を取り付けることはできるが、Ｃ型鋼に屋根材を取り付けることができない。
本発明は、Ｃ型鋼に屋根材を取り付けることができるようにしたＣ型鋼用屋根材取付装置を提供することである。
【０００４】
【問題点を解決する手段】
上記目的を達成するため、本発明は、長手方向に沿って帯状の開口部４が形成された側壁部２ａとこの側壁部２ａと平行に対向する側壁部２ｂと、前記側壁部２ｂに対して直角な底壁部２ｃ及び天壁部２ｄを備えたＣ型鋼から成る長尺状の梁２に、複数の屋根材６を、取付金具１２によって固定するための屋根材取付装置において、前記取付金具１２を、前記梁２の前記開口部４を有する側壁部２ａの下部２ａに嵌合自在な嵌合わん曲部１２ｅと、前記梁２の底壁部２ｃに当接自在な当接平面部１２ｆと、前記梁２の側壁部２ｂの下部内壁面に当接自在な立ち上り係止部１２ｇとから成る上部取付片１２ａと、該上部取付片１２ａに固設された下部取付片１２ｂとで構成し、前記下部取付片１２ｂに、前記屋根材６を固定するようにしたものである。
【０００５】
【作用】
取付金具１２の嵌合わん曲部１２ｅを、梁２の開口部４から該梁２の側壁部２ａの下部２ａに嵌合すると、当接平面部１２ｆが梁２の底壁部２ｃに当接し、立ち上り係止部１２ｇが梁２の側壁部２ｂの下部内壁面に当接する。これによって、取付金具１２を簡単な作業で且つ安定的に、梁２に取り付けることができる。
【０００６】
【実施例】
以下に本発明の構成を添付図面に示す実施例を参照して詳細に説明する。
２は建物の天井、屋根を構成するための骨格となる梁であり、建物の上部に複数互いに平行に配設されている。前記梁２はＣ型鋼から構成され、該Ｃ型鋼は中央部に長手方向に沿って帯状の開口部４が形成された側壁部２ａと、この側壁部２ａと平行に対向する側壁部２ｂと、前記側壁部２ｂに対して直角な底壁部２ｃ及び天壁部２ｄとから構成されている。６は帯状の弾力性のある金属板から成る屋根材であり、前記梁２の下方に複数隣接配置されている。
【０００７】
前記屋根材６の各々の両側部には、屋根材６の帯状部６ａに対して直角に立ち上り部６ｂ，６ｃが屈折形成されている。前記屋根材６は、前記帯状部６ａと立ち上り部６ｂ，６ｃとによって、全体の横断面形状が略横向きのコ字状に形成されている。前記屋根材６の右側の立ち上り部６ｃの上部には、該立ち上り部６ｃの全長にわたって四角形筒状の嵌合部８が屈折形成されている。
【０００８】
前記嵌合部８は、前記立ち上り部６ｃの上端に接し、屋根材６の帯状部６ａの内側に向けてこれに対して水平に屈折された底壁部８ａと、該底壁部８ａに接し、これに対して直角な側壁部８ｂと、該側壁部８ｂに接し、これに対して直角な天壁部８ｃと、該天壁部８ｃに接し、これに対して直角な側壁部８ｄとから構成され、前記側壁部８ｄの下縁は前記立ち上り部６ｃの上端と略同一高さに設定され、該側壁部８ｄの下縁と立ち上り部６ｃの上端との間には、前記底壁部８ａの幅と略同一幅の空間部から成る開放部が形成されている。
前記嵌合部８は上記構成によって長手方向の両端が開放され、周壁の一部が開放された角筒を構成している。
【０００９】
前記金属板６の左側の立ち上り部６ｂの上部には、該立ち上り部６ｂの長手方向に延びる四角筒状の嵌合部１０が屈折形成されている。
前記嵌合部１０は、前記立ち上り部６ｂの上端に接し、屋根材６の帯状部６ａの内側に向けてこれに対して水平に屈折された底壁部１０ａと、該底壁部１０ａに接し、これに対して直角な側壁部１０ｂと、該側壁部１０ｂに接し、これに対して直角な天壁部１０ｃと、該天壁部１０ｃに接し、これに対して直角な側壁部１０ｄとから構成されている。
【００１０】
前記側壁部１０ｄの下縁は前記立ち上り部６ｂの上端と略同一高さに設定され、該側壁部１０ｄの下端と立ち上り部６ｂの上端との間には、前記底壁部１０ａの幅と略同一の幅の空間部から成る開放部が形成されている。
前記嵌合部８，１０は互いに密嵌可能なように略同一寸法の対称形状に設定されている。
【００１１】
１２は取付金具であり、梁２に脱着自在に圧嵌可能な上部取付片１２ａと、該取付片１２ａの下面に一体的に固設された下部取付片１２ｂとから構成されている。上部取付片１２ａは、前記梁２の側壁部２ａの下部２ａに嵌合自在な嵌合わん曲部１２ｅと、前記梁２の底壁部２ｃに当接自在な当接平面部２ｆと、前記梁２の側壁部２ｂの下部内壁面に当接自在な立ち上り係止部２ｇとから構成されている。前記下部取付片１２ｂは、Ｌ型に屈折されたあご部１２ｃと垂直部１２ｄとから構成されている。前記あご部１２ｃは、前記嵌合部８，１０のでっぱりを避けるための逃げを構成している。
【００１２】
前記立ち上り部６ｂ，６ｃ及び下部取付片１２ｂの垂直部１２ｂにはボルト挿入用の穴が透設されている。
次に本実施例の作用について説明する。
一対の屋根材６を隣接配置し、一方の屋根材６Ａの立ち上り部６ｃに他方の屋根材６Ｂの立ち上り部６ｂを互いのボルト挿入穴を一致させて合接するとともに、一方の屋根材６Ａの嵌合部８の外側に他方の屋根材６Ｂの嵌合部１０を密嵌させる。
【００１３】
互いに接合させた一対の屋根材  ６Ａ，６Ｂを梁２の下方にこれに対して直角に配置する。次に取付金具１２の嵌合わん曲部１２ｅを梁２の側壁部２ａの下部に密嵌し且つ当接平面部１２ｆを梁２の底壁部２ｃに当接させるとともに、立ち上り係止部１２ｇを梁２の側壁部２ｂの下部内壁面に圧接させて、取付金具１２を、梁２に圧入嵌合する。この時、下部取付片１２ｂのあご部１２ｃに、対応する屋根材の嵌合部１０，８のでっぱりを配置し、且つ、下部取付片１２ｂの垂直部１２ｄのボルト挿入穴を屋根材６，６の立ち上り部６ｃ，６ｂのボルト挿入穴に合わせる。
【００１４】
次に、屋根材６，６の立ち上り部６ｃ，６ｂのボルト挿入穴及び取付金具１２の垂直部１２ｄのボルト挿入穴にボルト１４を挿入し、ナット１６をのボルト１４に捩じ込んで、一対の屋根材６Ａ，６Ｂの立ち上り部６ｃ，６ｂを、取付金具１２の垂直部１２ｄに固定する。
屋根材６，６の立ち上り部６ｃ，６ｂを取付金具１２の垂直部１２ｄの垂直部１２ｄにボルト１４によって固定する作業は、垂直部１２ｄのボルト挿入穴形成部分が、図１に示すように、梁２の直下から側方にずれているため、梁２が作業の邪魔になることがなく容易に行うことができる。
【００１５】
上記のように屋根材６一方の立ち上り部６ｃには、他の屋根材６の他方の立ち上り部６ｂを、互いの嵌合部８，１０を嵌合させて、順次、図１に示す如く、横方向に接合し、この接合部を、取付金具１２を介して梁２に取り付ける。
上記実施例は、図１に示すように、屋根材６の一方の嵌合部８の外側に、隣接する屋根材６の他方の嵌合部１０を嵌合させているが、反対の構造即ち屋根材６の一方の嵌合部の内側に、隣接する屋根材６の他方の嵌合部を嵌合させるようにしても良い。
【００１６】
又、嵌合部８，１０の筒形状は、四角筒型に限定されるものではなく、側壁の一部が長手方向に沿って開放された円筒形の嵌合部としても良い。
本実施例において、角型又は円筒形の嵌合部を、互いに嵌合したとき、屋根板の接合部に大きな強度が得られる。
【００１７】
【効果】
本発明は上述の如く構成したので、Ｃ型鋼から成る梁に屋根板を簡単にしかも安定的に取り付けることができる。又、屋根板の接合部を筒型としたので屋根板の接合部に大きな強度を得ることが出来る効果が存する。
【図面の簡単な説明】
【図１】本願発明の要部の外観図である。
【図２】本願発明の外観図である。
【図３】本願発明の側面図である。
【図４】取付金具の外観図である。
【符号の説明】
２      梁
２ａ    側壁部
２ｂ    側壁部
２ｃ    底壁部
２ｄ    天壁部
４      開口部
６      屋根材
６ａ    帯状部
６ｂ    立ち上り部
６ｃ    立ち上り部
８      嵌合部
８ａ    底壁部
８ｂ    側壁部
８ｃ    天壁
８ｄ    側壁部
１０    嵌合部
１０ａ  底壁部
１０ｂ  側壁部
１２    取付金具
１２ａ  上部取付片
１２ｂ  下部取付片
１２ｃ  あご部
１２ｄ  垂直部
１２ｅ  嵌合わん曲部
１２ｆ  当接平面部
１２ｇ  係止部
１４    ボルト
１６    ナット
【図１】
0003548860.tif 000002
【図２】
0003548860.tif 000003
【図３】
0003548860.tif 000004
【図４】
0003548860.tif 000005